(57)【要約】【課題】ＲＦＩＤタグを用いて、より簡単な作業で廃棄物の排出量に関する情報の収集・管理を効率的かつ確実におこなうこと。【解決手段】複数のＲＦＩＤタグ１５１が無作為に混入された廃棄物１５０が廃棄物収集場１４１に廃棄される（１）。廃棄物１５０が廃棄物収集車１８２に収集される（２）。ＲＦＩＤタグ１５１が検出され、ＲＦＩＤタグ１５１から廃棄物情報が読み取られる（３）。廃棄物情報がサーバ１２１に送信される（４）。廃棄物１５０が廃棄物処分装置１７３によって処分される（５）。ＲＦＩＤタグ１５１が検出され、ＲＦＩＤタグ１５１から廃棄物情報が読み取られる（６）。廃棄物情報がサーバ１２１に送信される（７）。廃棄物１５０の処分の適正が判定される（８）。収集者１８０に対する措置がおこなわれる（９）。【選択図】図１
2008015628.tif 000002
【特許請求の範囲】
【請求項１】
複数のＲＦＩＤ（Ｒａｄｉｏ  Ｆｒｅｑｕｅｎｃｙ  ＩＤ）タグが混入された廃棄物が収集される際および前記廃棄物が処分される際に、前記廃棄物に混入された複数のＲＦＩＤタグを検出する検出手段と、
前記廃棄物が収集される際に検出されたＲＦＩＤタグの個数と、前記廃棄物が処分される際に検出されたＲＦＩＤタグの個数とを比較する比較手段と、
前記比較手段によって比較された結果に基づいて、前記廃棄物の処分の適正を判定する判定手段と、
前記判定手段によって判定された結果に関する情報を、前記廃棄物の収集者を特定するための情報に関連付けして所定の記録媒体に記録する記録手段と、
を備えたことを特徴とする廃棄物収集管理装置。
【請求項２】
廃棄物に混入されたＲＦＩＤタグの個数に関する情報を取得する廃棄物情報取得手段と、
前記廃棄物が処分される際に、前記廃棄物に混入された複数のＲＦＩＤ（Ｒａｄｉｏ  Ｆｒｅｑｕｅｎｃｙ  ＩＤ）タグを検出する検出手段と、
前記検出手段によって検出されたＲＦＩＤタグの個数と、前記廃棄物情報取得手段によって取得された情報にかかるＲＦＩＤタグの個数とを比較する比較手段と、
前記比較手段によって比較された結果に基づいて、前記廃棄物の処分の適正を判定する判定手段と、
前記判定手段によって判定された結果に関する情報を、前記廃棄物の収集者を特定するための情報に関連付けして所定の記録媒体に記録する記録手段と、
を備えたことを特徴とする廃棄物収集管理装置。
【請求項３】
前記所定の記録媒体に記録された情報に基づいて、前記廃棄物の収集者に対する措置を判定する措置判定手段をさらに備えたことを特徴とする請求項１または２に記載の廃棄物収集管理装置。
【請求項４】
前記所定の記録媒体に記録された情報に基づいて、前記廃棄物の処分に関する統計情報を生成する生成手段をさらに備えたことを特徴とする請求項１〜３のいずれか一つに記載の廃棄物収集管理装置。
【請求項５】
複数のＲＦＩＤ（Ｒａｄｉｏ  Ｆｒｅｑｕｅｎｃｙ  ＩＤ）タグが混入された廃棄物が収集される際および前記廃棄物が処分される際に、前記廃棄物に混入された複数のＲＦＩＤタグを検出する検出工程と、
前記廃棄物が収集される際に検出されたＲＦＩＤタグの個数と、前記廃棄物が処分される際に検出されたＲＦＩＤタグの個数とを比較する比較工程と、
前記比較工程によって比較された結果に基づいて、前記廃棄物の処分の適正を判定する判定工程と、
前記判定工程によって判定された結果に関する情報を、前記廃棄物の収集者を特定するための情報に関連付けして所定の記録媒体に記録する記録工程と、
を含んだことを特徴とする廃棄物収集管理方法。
【請求項６】
廃棄物に混入されたＲＦＩＤタグの個数に関する情報を取得する廃棄物情報取得工程と、
前記廃棄物が処分される際に、前記廃棄物に混入された複数のＲＦＩＤ（Ｒａｄｉｏ  Ｆｒｅｑｕｅｎｃｙ  ＩＤ）タグを検出する検出工程と、
前記検出工程によって検出されたＲＦＩＤタグの個数と、前記廃棄物情報取得工程によって取得された情報にかかるＲＦＩＤタグの個数とを比較する比較工程と、
前記比較工程によって比較された結果に基づいて、前記廃棄物の処分の適正を判定する判定工程と、
前記判定工程によって判定された結果に関する情報を、前記廃棄物の収集者を特定するための情報に関連付けして所定の記録媒体に記録する記録工程と、
を含んだことを特徴とする廃棄物収集管理方法。
【請求項７】
複数のＲＦＩＤ（Ｒａｄｉｏ  Ｆｒｅｑｕｅｎｃｙ  ＩＤ）タグが混入された廃棄物が収集される際および前記廃棄物が処分される際において、前記廃棄物に混入された複数のＲＦＩＤタグを検出する検出工程と、
前記廃棄物が収集される際に検出されたＲＦＩＤタグの個数と、前記廃棄物が処分される際に検出されたＲＦＩＤタグの個数とを比較する比較工程と、
前記比較工程によって比較された結果に基づいて、前記廃棄物の処分の適正を判定する判定工程と、
前記判定工程によって判定された結果に関する情報を、前記廃棄物の収集者を特定するための情報に関連付けして所定の記録媒体に記録する記録工程と、
を含んだ廃棄物収集管理方法をコンピュータに実行させることを特徴とする廃棄物収集管理プログラム。
【請求項８】
廃棄物に混入されたＲＦＩＤタグの個数に関する情報を取得する廃棄物情報取得工程と、
前記廃棄物が処分される際に、前記廃棄物に混入された複数のＲＦＩＤ（Ｒａｄｉｏ  Ｆｒｅｑｕｅｎｃｙ  ＩＤ）タグを検出する検出工程と、
前記検出工程によって検出されたＲＦＩＤタグの個数と、前記廃棄物情報取得工程によって取得された情報にかかるＲＦＩＤタグの個数とを比較する比較工程と、
前記比較工程によって比較された結果に基づいて、前記廃棄物の処分の適正を判定する判定工程と、
前記判定工程によって判定された結果に関する情報を、前記廃棄物の収集者を特定するための情報に関連付けして所定の記録媒体に記録する記録工程と、
を含んだ廃棄物収集管理方法をコンピュータに実行させることを特徴とする廃棄物収集管理プログラム。
【発明の詳細な説明】
【技術分野】
【０００１】
この発明は、ＲＦＩＤ（Ｒａｄｉｏ  Ｆｒｅｑｕｅｎｃｙ  ＩＤ）タグを用いて、廃棄物の処分量の管理をおこなう廃棄物収集管理装置、廃棄物収集管理方法、および廃棄物収集管理プログラムに関する。
【背景技術】
【０００２】
従来、ＲＦＩＤタグに関する技術の進歩および低価格化にともない、ＲＦＩＤタグを用いて、廃棄物の排出量などを管理することが広く考えられてきている。一方、多くの流通過程を経由して最終目的地に到達するまでに、担当者（作業者）の処理ミスなどの過失によりまたは担当者が不正の目的など意図的な処理によって、廃棄物の処分量が変化してしまうことがある。これらを防止するために、経由地点ごとに廃棄物の重量を測定し、記録・管理する必要があった。特に、産業廃棄物の場合、運搬過程における不法投棄などが問題となっており、それを防止するために、運搬過程における廃棄物の重量を管理することは効果的であった。
【発明の開示】
【発明が解決しようとする課題】
【０００３】
しかしながら、上記従来技術にあっては、廃棄物を戸別に計量し、記録するのは担当者（作業者）にとって極めて煩雑であり、計量し忘れ、誤計量、誤記録、さらには記録簿の紛失などの問題が発生するおそれがあり、より適切な重量管理が困難であるという問題点があった。
【０００４】
また、まとめて処分されるために計量が困難な廃棄物（たとえばパッカー車によって収集される廃棄物、瓦礫・木材などの梱包されていない廃棄物など）の場合、重量による廃棄物の排出量の管理をおこなうことができないため、廃棄物の処分が適正におこなわれているか否かを把握することは困難であった。その結果、運搬過程における廃棄物の不法投棄が後を絶たないという問題が生じていた。
【０００５】
この発明は、上述した従来技術による問題点を解消するため、より簡単な作業により廃棄物の排出量に関する情報の収集・管理を効率的かつ確実におこなうことができ、廃棄物の処分の適正化を図ることが可能な廃棄物収集管理装置、廃棄物収集管理方法、および廃棄物収集管理プログラムを提供することを目的とする。
【課題を解決するための手段】
【０００６】
上述した課題を解決し、目的を達成するため、この発明にかかる廃棄物収集管理装置は、複数のＲＦＩＤ（Ｒａｄｉｏ  Ｆｒｅｑｕｅｎｃｙ  ＩＤ）タグが混入された廃棄物が収集される際および前記廃棄物が処分される際に、前記廃棄物に混入された複数のＲＦＩＤタグを検出する検出手段と、前記廃棄物が収集される際に検出されたＲＦＩＤタグの個数と、前記廃棄物が処分される際に検出されたＲＦＩＤタグの個数とを比較する比較手段と、前記比較手段によって比較された結果に基づいて、前記廃棄物の処分の適正を判定する判定手段と、前記判定手段によって判定された結果に関する情報を、前記廃棄物の収集者を特定するための情報に関連付けして所定の記録媒体に記録する記録手段と、を備えたことを特徴とする。
【０００７】
また、この発明にかかる廃棄物収集管理装置は、廃棄物に混入されたＲＦＩＤタグの個数に関する情報を取得する廃棄物情報取得手段と、前記廃棄物が処分される際に、前記廃棄物に混入された複数のＲＦＩＤ（Ｒａｄｉｏ  Ｆｒｅｑｕｅｎｃｙ  ＩＤ）タグを検出する検出手段と、前記検出手段によって検出されたＲＦＩＤタグの個数と、前記廃棄物情報取得手段によって取得された情報にかかるＲＦＩＤタグの個数とを比較する比較手段と、前記比較手段によって比較された結果に基づいて、前記廃棄物の処分の適正を判定する判定手段と、前記判定手段によって判定された結果に関する情報を、前記廃棄物の収集者を特定するための情報に関連付けして所定の記録媒体に記録する記録手段と、を備えたことを特徴とする。
【０００８】
また、この発明にかかる廃棄物収集管理装置は、上記に記載の発明において、前記所定の記録媒体に記録された情報に基づいて、前記廃棄物の収集者に対する措置を判定する措置判定手段をさらに備えたことを特徴とする。
【０００９】
また、この発明にかかる廃棄物収集管理装置は、上記に記載の発明において、前記所定の記録媒体に記録された情報に基づいて、前記廃棄物の処分に関する統計情報を生成する生成手段をさらに備えたことを特徴とする。
【００１０】
また、この発明にかかる廃棄物収集管理方法は、複数のＲＦＩＤ（Ｒａｄｉｏ  Ｆｒｅｑｕｅｎｃｙ  ＩＤ）タグが混入された廃棄物が収集される際および前記廃棄物が処分される際に、前記廃棄物に混入された複数のＲＦＩＤタグを検出する検出工程と、前記廃棄物が収集される際に検出されたＲＦＩＤタグの個数と、前記廃棄物が処分される際に検出されたＲＦＩＤタグの個数とを比較する比較工程と、前記比較工程によって比較された結果に基づいて、前記廃棄物の処分の適正を判定する判定工程と、前記判定工程によって判定された結果に関する情報を、前記廃棄物の収集者を特定するための情報に関連付けして所定の記録媒体に記録する記録工程と、を含んだことを特徴とする。
【００１１】
また、この発明にかかる廃棄物収集管理方法は、廃棄物に混入されたＲＦＩＤタグの個数に関する情報を取得する廃棄物情報取得工程と、前記廃棄物が処分される際に、前記廃棄物に混入された複数のＲＦＩＤ（Ｒａｄｉｏ  Ｆｒｅｑｕｅｎｃｙ  ＩＤ）タグを検出する検出工程と、前記検出工程によって検出されたＲＦＩＤタグの個数と、前記廃棄物情報取得工程によって取得された情報にかかるＲＦＩＤタグの個数とを比較する比較工程と、前記比較工程によって比較された結果に基づいて、前記廃棄物の処分の適正を判定する判定工程と、前記判定工程によって判定された結果に関する情報を、前記廃棄物の収集者を特定するための情報に関連付けして所定の記録媒体に記録する記録工程と、を含んだことを特徴とする。
【００１２】
また、この発明にかかる廃棄物収集管理プログラムは、複数のＲＦＩＤ（Ｒａｄｉｏ  Ｆｒｅｑｕｅｎｃｙ  ＩＤ）タグが混入された廃棄物が収集される際および前記廃棄物が処分される際において、前記廃棄物に混入された複数のＲＦＩＤタグを検出する検出工程と、前記廃棄物が収集される際に検出されたＲＦＩＤタグの個数と、前記廃棄物が処分される際に検出されたＲＦＩＤタグの個数とを比較する比較工程と、前記比較工程によって比較された結果に基づいて、前記廃棄物の処分の適正を判定する判定工程と、前記判定工程によって判定された結果に関する情報を、前記廃棄物の収集者を特定するための情報に関連付けして所定の記録媒体に記録する記録工程と、を含んだ廃棄物収集管理方法をコンピュータに実行させることを特徴とする。
【００１３】
また、この発明にかかる廃棄物収集管理プログラムは、廃棄物に混入されたＲＦＩＤタグの個数に関する情報を取得する廃棄物情報取得工程と、前記廃棄物が処分される際に、前記廃棄物に混入された複数のＲＦＩＤ（Ｒａｄｉｏ  Ｆｒｅｑｕｅｎｃｙ  ＩＤ）タグを検出する検出工程と、前記検出工程によって検出されたＲＦＩＤタグの個数と、前記廃棄物情報取得工程によって取得された情報にかかるＲＦＩＤタグの個数とを比較する比較工程と、前記比較工程によって比較された結果に基づいて、前記廃棄物の処分の適正を判定する判定工程と、前記判定工程によって判定された結果に関する情報を、前記廃棄物の収集者を特定するための情報に関連付けして所定の記録媒体に記録する記録工程と、を含んだ廃棄物収集管理方法をコンピュータに実行させることを特徴とする。
【発明の効果】
【００１４】
本発明によれば、より簡単な作業により廃棄物の排出量に関する情報の収集・管理を効率的かつ確実におこなうことができ、廃棄物の処分の適正化を図ることが可能な廃棄物収集管理装置、廃棄物収集管理方法、および廃棄物収集管理プログラムが得られるという効果を奏する。
【発明を実施するための最良の形態】
【００１５】
以下に添付図面を参照して、この発明にかかる廃棄物収集管理装置、廃棄物収集管理方法、および廃棄物収集管理プログラムの好適な実施の形態を詳細に説明する。
【００１６】
（廃棄物収集管理処理の概要）
まず、この発明の実施の形態にかかる廃棄物収集管理装置、廃棄物収集管理方法、および廃棄物収集管理プログラムの概要について説明する。図１は、この発明の本実施の形態にかかる廃棄物収集管理装置、廃棄物収集管理方法、および廃棄物収集管理プログラムの概要を示す説明図である。
【００１７】
図１において、（１）まず排出者１４０（たとえば企業の製造工場など）によって、複数のＲＦＩＤタグ１５１が無作為に混入された廃棄物１５０が廃棄物収集場１４１に廃棄される。ＲＦＩＤタグ１５１は廃棄物１５０の排出量に応じて所定の個数が廃棄物１５０に対して混入される。たとえば廃棄物１５０が１００個に分割されて排出された場合、そのうちの１〜２割（すなわち１０〜２０個）の廃棄物１５０に対してＲＦＩＤタグ１５１が混入される。また、たとえば分割されたすべての廃棄物１５０に対してＲＦＩＤタグ１５１を混入してもよい。
【００１８】
（２）つぎに、収集者１８０（たとえば廃棄物収集業者など）の作業員１８１によって廃棄物１５０が廃棄物収集車１８２に収集される。（３）廃棄物１５０が収集される際に、廃棄物収集車１８２の廃棄物投入口付近に設けられたＲ／Ｗ（ＲＦＩＤタグリーダ／ライタ）１２２ｂによって、廃棄物１５０に混入されているＲＦＩＤタグ１５１が検出され、ＲＦＩＤタグ１５１から廃棄物に関する情報（たとえば廃棄物１５０のＩＤ、廃棄物１５０の種別など。以下、「廃棄物情報」という）が読み取られる。このとき、Ｒ／Ｗ１２２ｂによって検出された全てのＲＦＩＤタグ１５１から廃棄物情報が読み取られる。
【００１９】
（４）つぎに、ＲＦＩＤタグ１５１から読み取られた廃棄物情報が、排出者１４０が保有するサーバ１２１に送信される。このとき、Ｒ／Ｗ１２２ｂによって検出された全てのＲＦＩＤから読み取られた廃棄物情報が送信される。
【００２０】
（５）つぎに、処分者（たとえば廃棄物処分業者など）の作業員１７２によって廃棄物１５０がベルトコンベア１７１上に載置され、ベルトコンベア１７１から搬送された廃棄物１５０が廃棄物処分装置１７３によって処分される。（６）廃棄物１５０がベルトコンベア１７１によって搬送される際に、ベルトコンベア１７１付近に設けられたＲ／Ｗ１２２ａによって、廃棄物１５０に混入されているＲＦＩＤタグ１５１が検出され、ＲＦＩＤタグ１５１から廃棄物情報が読み取られる。このとき、Ｒ／Ｗ１２２ａによって検出された全てのＲＦＩＤタグ１５１から廃棄物情報が読み取られる。
【００２１】
（７）つぎに、ＲＦＩＤタグ１５１から読み取られた廃棄物情報が、排出者１４０が有するサーバ１２１に送信される。このとき、Ｒ／Ｗ１２２ａによって検出された全てのＲＦＩＤから読み取られた廃棄物情報が送信される。
【００２２】
（８）つぎに、サーバ１２１において、廃棄物１５０が収集される際に検出されたＲＦＩＤタグ１５１の個数（すなわちＲ／Ｗ１２２ｂから送信された廃棄物情報の件数）と、廃棄物１５０が処分される際に検出されたＲＦＩＤタグ１５１の個数（すなわちＲ／Ｗ１２２ａから送信された廃棄物情報の件数）とが比較され、廃棄物１５０の処分の適正（「正常」または「不正」）が判定される。たとえば、廃棄物１５０が処分される際に検出されたＲＦＩＤタグ１５１の個数が、廃棄物１５０が収集される際に検出されたＲＦＩＤタグ１５１の個数の所定の割合（たとえば６５％）に満たなかった場合、「不正」が廃棄物１５０の処分の適正として判定される。
【００２３】
（９）「不正」が廃棄物１５０の処分の適正として判定された場合は、排出者１４０によって、収集者１８０に対する措置がおこなわれる。たとえば、一定期間の間、収集者１８０との取引をおこなわないなどの措置がおこなわれる。
【００２４】
（全体システムの構成）
つぎに、この発明の実施の形態にかかる廃棄物収集管理装置を含む全体システムの構成について説明する。図２は、この発明の本実施の形態にかかる廃棄物収集管理装置を含む全体システムの構成を示す説明図である。
【００２５】
図２において、廃棄物収集管理システム２００は、廃棄物収集管理装置１２０と、排出者１４０によって排出された廃棄物１５０と、廃棄物１５０を廃棄物処分装置１７３へ搬送するベルトコンベア１７１と、廃棄物１５０を処分する廃棄物処分装置１７３と、廃棄物１５０を収集する廃棄物収集車１８２と、収集者１８０が保有する情報端末１８３とによって構成されている。
【００２６】
廃棄物収集管理装置１２０は、サーバ１２１と、Ｒ／Ｗ１２２ａと、Ｒ／Ｗ１２２ｂととによって構成されており、それぞれネットワーク２０１に接続されている。サーバ１２１は、Ｒ／Ｗ１２２ａおよびＲ／Ｗ１２２ｂを含めた廃棄物収集管理システム２００全体の制御を司る。
【００２７】
サーバ１２１は、Ｒ／Ｗ１２２ａおよびＲ／Ｗ１２２ｂからネットワーク２０１を介して送信された廃棄物情報を受信する。またサーバ１２１は、定期的に収集者１８０に対する措置に関する情報を収集者１８０が保有する情報端末１８３（たとえば携帯電話など）に対して送信する。
【００２８】
Ｒ／Ｗ１２２ａは、ベルトコンベア１７１によって搬送された廃棄物１５０に混入されているＲＦＩＤタグ１５１を検出することができる位置に設けられ、ベルトコンベア１７１によって搬送された廃棄物１５０に混入されているＲＦＩＤタグ１５１を検出して、ＲＦＩＤタグ１５１から廃棄物情報（たとえば廃棄物１５０のＩＤ、廃棄物１５０の種別など）を読み取る。またＲ／Ｗ１２２ａは、ＲＦＩＤタグ１５１から読み取った廃棄物情報をネットワーク２０１を介してサーバ１２１へ送信する。またＲ／Ｗ１２２ａは、ＲＦＩＤタグ１５１に対して情報を書き込むこともできる。
【００２９】
Ｒ／Ｗ１２２ｂは、廃棄物収集車１８２の廃棄物投入口付近に設けられ、廃棄物収集車１８２の廃棄物投入口付近に載置された廃棄物１５０に混入されているＲＦＩＤタグ１５１を検出して、ＲＦＩＤタグ１５１から廃棄物情報（たとえば廃棄物１５０のＩＤ、廃棄物１５０の種別など）を読み取る。またＲ／Ｗ１２２ｂは、ＲＦＩＤタグ１５１から読み取った廃棄物情報をネットワーク２０１を介してサーバ１２１へ送信する。またＲ／Ｗ１２２ｂは、ＲＦＩＤタグ１５１に対して情報を書き込むこともできる。
【００３０】
ここで、Ｒ／Ｗ１２２ａおよびＲ／Ｗ１２２ｂは、通信距離が約数ｃｍから２ｍであり、無線周波数はたとえば、１３．５６ＭＨｚ（電磁誘導方式）と２．４５ＧＨｚ（マイクロ波方式）である。電磁誘導方式は、Ｒ／Ｗ１２２ａおよびＲ／Ｗ１２２ｂのコイルに電流を流して発生させた磁界で、無線ＩＣタグが持つコイル状のアンテナに電流を発生させ、ＩＣチップを動かす。マイクロ波方式は、Ｒ／Ｗ１２２ａおよびＲ／Ｗ１２２ｂのアンテナから発生させた電波を無線ＩＣタグのアンテナで受け取るようにする。
【００３１】
廃棄物１５０は、排出者１４０によって廃棄物収集場１４１に排出された廃棄物（たとえば可燃廃棄物、不燃廃棄物、カン、ビン、ペットボトルなど）であり、あらかじめ廃棄物情報（たとえば廃棄物１５０のＩＤ、廃棄物１５０の種別など）が記録されたＲＦＩＤタグ１５１が、排出者１４０によって無作為に混入されている。廃棄物収集場１４１に排出された廃棄物１５０は、作業員１８１によって廃棄物収集車１８２に収集される。
【００３２】
ＲＦＩＤタグ１５１は、排出者１４０によって廃棄物情報（たとえば廃棄物１５０のＩＤ、廃棄物１５０の種別など）があらかじめ記録されており、複数のＲＦＩＤタグ１５１が廃棄物１５０に無作為に混入される。廃棄物１５０に無作為に混入されたＲＦＩＤタグ１５１は、Ｒ／Ｗ１２２ａおよびＲ／Ｗ１２２ｂによって検出され、Ｒ／Ｗ１２２ａおよびＲ／Ｗ１２２ｂによって廃棄物情報が読み取られる。
【００３３】
ここで、ＲＦＩＤタグ１５１は、たとえば情報を記録する小型のＩＣチップと金属製のアンテナで構成する。ＩＣチップ、はたとえば０．１ミリ〜数ミリ角の大きさである。またＩＣチップは、１０数バイト〜数キロバイトのメモリとロジック回路を備えており、無線通信によってデータの読み取りや書き込みをすることができる。またＩＣチップは、ロジック回路によって、演算、認証、暗号化などの処理をおこなうこともできる。
【００３４】
ＲＦＩＤタグ１５１は、電池を内蔵しているものであっても、電池を内蔵していないものであってもよく、電池を内蔵しているものであれば、ＲＦＩＤタグ１５１から能動的に情報を発信することができる。またＲＦＩＤタグ１５１には、このＲＦＩＤタグ１５１が貼付される廃棄物１５０や排出者１４０を特定するための固有のＩＤを付与することができる。
【００３５】
ベルトコンベア１７１は、処分者が保有する装置であり、処分者の作業員１７２によってベルトコンベア１７１上に載置された廃棄物１５０を廃棄物処分装置１７３へ搬送する。廃棄物処分装置１７３は、処分者が保有する装置（たとえば焼却炉）であり、ベルトコンベア１７１によって搬送された廃棄物１５０を処分（たとえば焼却）する。
【００３６】
廃棄物収集車１８２は廃棄物１５０を収集する。廃棄物収集車１８２の廃棄物投入口付近には、廃棄物１５０に混入されているＲＦＩＤタグ１５１を検出し、ＲＦＩＤタグ１５１から廃棄物情報を読み取るためのＲ／Ｗ１２２ｂが設けられている。
【００３７】
情報端末１８３は、排出者１４０が保有する情報端末装置（たとえばネットワーク２０１と接続された携帯電話や、ネットワーク２０１と接続されたパーソナル・コンピュータなど）であり、廃棄物収集管理装置１２０からネットワーク２０１を介して送信された各種情報を受信して、受信した各種情報を出力する。
【００３８】
（廃棄物収集管理装置１２０のハードウェア構成）
つぎに、本実施の形態にかかる廃棄物収集管理方法を実現する廃棄物収集管理装置１２０のハードウェア構成について説明する。図３は、廃棄物収集管理装置１２０のハードウェア構成の一例を示すブロック図である。
【００３９】
図３において、廃棄物収集管理装置１２０は、ＣＰＵ（Ｃｅｎｔｒａｌ  Ｐｒｏｃｅｓｓｉｎｇ  Ｕｎｉｔ）３０１と、ＲＯＭ（Ｒｅａｄ  Ｏｎｌｙ  Ｍｅｍｏｒｙ）３０２と、ＲＡＭ（Ｒａｎｄｏｍ  Ａｃｃｅｓｓ  Ｍｅｍｏｒｙ）３０３と、ＨＤＤ（Ｈａｒｄ  Ｄｉｓｃ  Ｄｒｉｖｅ）３０４と、ＨＤ（Ｈａｒｄ  Ｄｉｓｃ）３０５と、ＦＤＤ（Ｆｌｅｘｉｂｌｅ  Ｄｉｓｃ  Ｄｒｉｖｅ）３０６と、ＦＤ（Ｆｌｅｘｉｂｌｅ  Ｄｉｓｃ）３０７と、ディスプレイ３０８と、Ｉ／Ｆ（インタフェース）３０９と、操作ボタン３１０と、プリンタ３１１と、時計３１２と、Ｒ／Ｗ１２２とを備えて構成されており、上記各構成部はバス３２０によってそれぞれ接続されている。
【００４０】
ＣＰＵ３０１は、廃棄物収集管理装置１２０の全体の制御を司る。ＲＯＭ３０２は、各種制御プログラムなどを記憶する。ＲＡＭ３０３は、ＣＰＵ３０１のワークエリアとして使用される。ＨＤＤ３０４はＣＰＵ３０１の制御命令に従って、ＨＤ３０５に対するデータの読み取り／書き込みを制御する。ＨＤ３０５は、ＨＤＤ３０４の制御で書き込まれたデータを記憶する。ＦＤＤ３０６はＣＰＵ３０１の制御命令に従って、ＦＤ３０７に対するデータの読み取り／書き込みの制御をおこなう。
【００４１】
ＦＤ３０７は、ＦＤＤ３０６の制御で書き込まれたデータを記憶する着脱可能な記憶媒体である。着脱可能な記憶媒体として、ＦＤ３０７のほか、ＣＤ−ＲＯＭ（ＣＤ−Ｒ、ＣＤ−ＲＷ）、ＭＯ、ＤＶＤ（Ｄｉｇｉｔａｌ  Ｖｅｒｓａｔｉｌｅ  Ｄｉｓｋ）、メモリカードなどであってもよい。
【００４２】
ディスプレイ３０８は、テキストデータ、画像データなどの各種情報を表示する。ディスプレイ３０８は、たとえばＴＦＴ（Ｔｈｉｎ  Ｆｉｌｍ  Ｔｒａｎｓｉｓｔｏｒ）液晶ディスプレイのほか、ＣＲＴ（Ｃａｔｈｏｄｅ  Ｒａｙ  Ｔｕｂｅ）やプラズマディスプレイなどであってもよい。
【００４３】
Ｉ／Ｆ３０９は、通信回線を通じてネットワーク２０１に接続され、ネットワーク２０１を介して、他の情報処理装置、各種データベースなどに接続される。そして、Ｉ／Ｆ３０９は、ネットワーク２１０と装置内部とのインタフェースを司り、他の情報処理装置、各種データベースなどとのデータの入出力を制御する。Ｉ／Ｆ３０９は、たとえばモデムやＬＡＮアダプタなどである。またＩ／Ｆ３０９は、ＵＳＢなどの外部入出力としても用いることができる。
【００４４】
操作ボタン３１０は、各種データの送受信、入力、設定などに用いる。プリンタ３１１は、各種情報を印刷する。プリンタ３１１は、たとえば、レーザプリンタやインクジェットプリンタなどである。時計３１２は、現在時刻を計時して、廃棄物１５０が収集された時刻や廃棄物１５０が処分された時刻などを出力する。
【００４５】
（廃棄物収集管理装置１２０の機能的構成）
つぎに、本実施の形態にかかる廃棄物収集管理装置１２０の機能的構成について説明する。図４は、この発明の本実施の形態にかかる廃棄物収集管理装置１２０の機能的構成の一例を示すブロック図である。
【００４６】
図４において、廃棄物収集管理装置１２０は、検出部４０１と、収集情報生成部４０２と、処分情報生成部４０３と、比較部４０４と、判定部４０５と、記録部４０６と、措置判定部４０７と、送信部４０８と、統計情報生成部４０９と、出力部４１０と、記憶部４２０とによって構成されている。
【００４７】
図４において、検出部４０１は、廃棄物１５０に混入されているＲＦＩＤタグ１５１を検出して、ＲＦＩＤタグ１５１から廃棄物情報（たとえば廃棄物１５０のＩＤ、廃棄物１５０の種別など）を読み取る。検出部４０１は、具体的には、たとえば図３に示したＲ／Ｗ１２２によってその機能を実現する。
【００４８】
収集情報生成部４０２は、廃棄物１５０が収集される際に検出部４０１によって検出されたＲＦＩＤタグ１５１の個数に関する情報を含む廃棄物１５０の収集に関する情報（以下、「収集情報」という）を生成する。収集情報には、収集者１８０のＩＤ、収集日時、収集場所などの情報が含まれる。収集情報生成部４０２は、具体的には、たとえば図３に示したＲＯＭ３０２、ＲＡＭ３０３、ＨＤ３０５、ＦＤ３０７に記憶されたプログラムをＣＰＵ３０１が実行することによってその機能を実現する。
【００４９】
処分情報生成部４０３は、廃棄物１５０が処分される際に検出部４０１によって検出されたＲＦＩＤタグ１５１の個数に関する情報を含む廃棄物１５０の処分に関する情報（以下、「処分情報」という）を生成する。処分情報には、処分者のＩＤ、処分日時、処分場所などの情報が含まれる。処分情報生成部４０３は、具体的には、たとえば図３に示したＲＯＭ３０２、ＲＡＭ３０３、ＨＤ３０５、ＦＤ３０７に記憶されたプログラムをＣＰＵ３０１が実行することによってその機能を実現する。
【００５０】
ＲＦＩＤタグ１５１に記録されている廃棄物１５０のＩＤは、同一の廃棄物１５０に混入されている全てのＲＦＩＤタグ１５１において同一である。そのため、収集情報生成部４０２は、検出部４０１によって読み取られた複数の廃棄物情報のうち、同一の前記ＩＤが記録されている廃棄物情報の件数を総和することによって、廃棄物１５０に混入されているＲＦＩＤタグ１５１の個数を算出することができる。
【００５１】
比較部４０４は、廃棄物１５０が収集される際に検出部４０１によって検出されたＲＦＩＤタグ１５１の個数と、廃棄物１５０が処分される際に検出部４０１によって検出されたＲＦＩＤタグ１５１の個数とを比較する。比較部４０４は、具体的には、たとえば図３に示したＲＯＭ３０２、ＲＡＭ３０３、ＨＤ３０５、ＦＤ３０７に記憶されたプログラムをＣＰＵ３０１が実行することによってその機能を実現する。
【００５２】
判定部４０５は、比較部４０４によって比較された結果と、あらかじめ記憶部４２０に記憶されている、廃棄物１５０の処分の適正の判定基準に関する情報（以下、「判定基準情報」という）とに基づいて、廃棄物１５０の処分の適正を判定する。判定部４０５は、具体的には、たとえば図３に示したＲＯＭ３０２、ＲＡＭ３０３、ＨＤ３０５、ＦＤ３０７に記憶されたプログラムをＣＰＵ３０１が実行することによってその機能を実現する。また、記憶部４２０に記憶された判定基準情報の一例については図５を用いて後述する。
【００５３】
記録部４０６は、判定部４０５によって判定された結果に関する情報と、収集情報生成部４０２によって生成された収集情報と、処分情報生成部４０３によって生成された処分情報とを関連付けしたデータ（以降、「収集・処分記録データ」という）を生成して、生成した収集・処分記録データを記憶部４２０に記録する。
【００５４】
記録部４０６は、具体的には、たとえば図３に示したＲＯＭ３０２、ＲＡＭ３０３、ＨＤ３０５、ＦＤ３０７に記憶されたプログラムをＣＰＵ３０１が実行することによってその機能を実現する。
【００５５】
措置判定部４０７は、記憶部４２０に記憶されている収集・処分記録データと、あらかじめ記憶部４２０に記憶されている、収集者１８０に対する処置の判定基準に関する情報（以下、「措置判定基準情報」という）とに基づいて、収集者１８０に対する措置を判定する。措置判定部４０７は、具体的には、たとえば図３に示したＲＯＭ３０２、ＲＡＭ３０３、ＨＤ３０５、ＦＤ３０７に記憶されたプログラムをＣＰＵ３０１が実行することによってその機能を実現する。また、記憶部４２０に記憶された措置判定基準情報の一例については図６を用いて後述する。
【００５６】
送信部４０８は、措置判定部４０７によって判定された結果を含む収集者１８０に対する処置に関する情報を収集者１８０が保有する情報端末１８３（たとえば携帯電話など）に対して送信する。送信部４０８は、具体的には、たとえば図３に示したＩ／Ｆ３０９によってその機能を実現する。
【００５７】
統計情報生成部４０９は、記憶部４２０に記憶されている収集・処分記録データに基づいて、廃棄物１５０の処分に関する統計情報を生成する。統計情報生成部４０９は、具体的には、たとえば図３に示したＲＯＭ３０２、ＲＡＭ３０３、ＨＤ３０５、ＦＤ３０７に記憶されたプログラムをＣＰＵ３０１が実行することによってその機能を実現する。
【００５８】
出力部４１０は、統計情報生成部４０９によって生成された廃棄物１５０の処分に関する統計情報を出力する。出力部４１０は、具体的には、たとえば図３に示したディスプレイ３０８、プリンタ３１１によってその機能を実現する。
【００５９】
記憶部４２０は、記録部４０６によって記録された収集・処分記録データを記憶する。また、記憶部４２０は、あらかじめ判定基準情報および措置判定基準情報を記憶する。記憶部４２０は、具体的には、たとえば図３に示したＲＯＭ３０２、ＲＡＭ３０３、ＨＤ３０５、ＦＤ３０７によってその機能を実現する。
【００６０】
（判定基準情報の一例）
つぎに、記憶部４２０に記憶された判定基準情報の一例について説明する。図５は、記憶部４２０に記憶された判定基準情報の一例を示す説明図である。図５において、判定基準情報を示す表５００は、「検出率」と、「判定」とによって構成されている。「検出率」には、廃棄物１５０が収集される際に検出されたＲＦＩＤの個数に対する、廃棄物１５０が処分される際に検出されたＲＦＩＤの個数の割合の範囲が設定されている。
【００６１】
また「判定」には、「検出率」に設定されている個数の範囲に対応する、廃棄物１５０の処分の適正が設定されている。この表５００は、あらかじめ記憶部４２０に記憶されており、廃棄物１５０の処分の適正の判定処理に利用されるために、判定部４０５によって記憶部４２０から読み取られる。
【００６２】
図５において、たとえば「検出率」（廃棄物１５０が収集される際に検出されたＲＦＩＤの個数に対する、廃棄物１５０が処分される際に検出されたＲＦＩＤの個数の割合）が「６５％〜１００％」である場合、「判定」（廃棄物１５０の処分の適正）として「正常」が、判定部４０５によって判定されることが示されている。
【００６３】
また、たとえば「検出率」（廃棄物１５０が収集される際に検出されたＲＦＩＤの個数に対する、廃棄物１５０が処分される際に検出されたＲＦＩＤの個数の割合）が「０％〜６４％」である場合、「判定」（廃棄物１５０の処分の適正）として「不正」が、判定部４０５によって判定されることが示されている。
【００６４】
（措置判定基準情報の一例）
つぎに、記憶部４２０に記憶された措置判定基準情報の一例について説明する。図６は、記憶部４２０に記憶された措置判定基準情報の一例を示す説明図である。図６において、措置判定基準情報を示す表６００は、「不正件数」と、「措置」と、「措置期間」と、「通知メッセージ」とによって構成されている。
【００６５】
「不正件数」には、所定の期間内における廃棄物１５０の処分において、不正があった件数が設定されている。また「措置」には、不正があった件数に対応する、収集者１８０に対する措置が設定されている。また、「措置期間」には、不正があった件数に対応する、収集者１８０に対する措置の期間が設定されている。また「通知メッセージ」には、不正があった件数に対応する、収集者１８０に通知するメッセージが設定されている。
【００６６】
この表６００は、あらかじめ記憶部４２０に記憶されており、収集者１８０に対する措置の判定処理に利用されるために、措置判定部４０７によって記憶部４２０から読み取られる。
【００６７】
図６において、たとえば不正があった件数が「１（回）」である場合、「措置」（収集者１８０に対する措置）として「注意」が措置判定部４０７によって判定され、「通知メッセージ」として「廃棄物の処分に不正がありました。繰り返し不正があった場合お取引を停止します。」が措置判定部４０７によって判定されることが示されている。
【００６８】
また、たとえば不正があった件数が「３（回）〜」である場合、「措置」（収集者１８０に対する措置）として「取引停止」が、「措置期間」として「１ヶ月」が措置判定部４０７によって判定され、「通知メッセージ」として「廃棄物の処分に再度不正がありました。お取引を停止します」が措置判定部４０７によって判定されることが示されている。
【００６９】
（廃棄物収集管理装置１２０による収集・処分記録データ収集処理の手順）
つぎに、廃棄物収集管理装置１２０による収集・処分記録データ収集処理の手順について説明する。図７は、この発明の本実施の形態にかかる廃棄物収集管理装置１２０による収集・処分記録データ収集処理の手順を示すフローチャートである。
【００７０】
まず、検出部４０１によって、廃棄物１５０が収集される際に廃棄物１５０に混入されているＲＦＩＤタグ１５１を検出する（ステップＳ７０１）。このとき検出部４０１は、同時にＲＦＩＤタグ１５１から廃棄物情報（たとえば廃棄物１５０のＩＤ、廃棄物１５０の種別など）を読み取る。なお、ＲＦＩＤタグ１５１の読み取りを含む廃棄物１５０の収集作業の一例については図８−１、図８−２および図８―３を用いて後述する。
【００７１】
つぎに、収集情報生成部４０２によって、廃棄物１５０が収集される際に検出部４０１によって検出されたＲＦＩＤタグ１５１の個数に関する情報を含む収集情報（収集者１８０のＩＤ、収集日時、収集場所など）を生成する（ステップＳ７０２）。
【００７２】
つぎに、検出部４０１によって、廃棄物１５０が処分される際に廃棄物１５０に混入されているＲＦＩＤタグ１５１を検出する（ステップＳ７０３）。このとき検出部４０１は、同時にＲＦＩＤタグ１５１から廃棄物情報（たとえば廃棄物１５０のＩＤ、廃棄物１５０の種別など）を読み取る。なお、ＲＦＩＤタグ１５１の読み取りを含む廃棄物１５０の処分作業の一例については図９を用いて後述する。
【００７３】
つぎに、処分情報生成部４０３によって、廃棄物１５０が処分される際に検出部４０１によって検出されたＲＦＩＤタグ１５１の個数に関する情報を含む処分情報（処分者のＩＤ、処分日時、処分場所など）を生成する（ステップＳ７０４）。
【００７４】
つぎに、比較部４０４によって、ステップＳ７０２で生成された収集情報と、ステップＳ７０４で生成された処分情報とに基づいて、廃棄物１５０が収集される際に検出されたＲＦＩＤタグ１５１の個数と、廃棄物１５０が処分される際に検出されたＲＦＩＤタグ１５１の個数とを比較する（ステップＳ７０５）。ここで、たとえば比較部４０４は、比較した結果として、廃棄物１５０が収集される際に検出されたＲＦＩＤの個数に対する、廃棄物１５０が処分される際に検出されたＲＦＩＤの個数の割合を出力する。
【００７５】
つぎに、判定部４０５によって、ステップＳ７０５で比較された結果と、あらかじめ記憶部４２０に記憶されている判定基準情報とに基づいて、廃棄物１５０の処分の適正を判定する（ステップＳ７０６）。
【００７６】
そして、記録部４０６によって、収集・処分記録データを記憶部４２０に記録して（ステップＳ７０７）、一連の処理を終了する。記録部４０６は、ステップＳ７０６で判定された結果に関する情報と、ステップＳ７０２で生成された収集情報と、ステップＳ７０４で生成された処分情報とを関連付けすることによって収集・処分記録データを生成して、生成した収集・処分記録データを記憶部４２０に記録する。なお、記憶部４２０に記録された収集・処分記録データの一例については図１０を用いて後述する。
【００７７】
（廃棄物１５０の収集作業の一例）
つぎに、ＲＦＩＤタグ１５１の読み取りを含む廃棄物１５０の収集作業の一例について説明する。図８−１は、ＲＦＩＤタグ１５１の読み取りを含む廃棄物１５０の収集作業の一例を示す説明図である。
【００７８】
図８−１において、廃棄物収集場１４１に排出された廃棄物１５０が、作業員１８１によって、廃棄物収集車１８２の廃棄物投入口付近に載置されている。また廃棄物収集車１８２の廃棄物投入口付近に載置された廃棄物１５０の上方向には、Ｒ／Ｗ１２２ｂが設けられている。
【００７９】
ここで、Ｒ／Ｗ１２２ｂは常にＲＦＩＤタグ１５１を検出するように待機しており、上述したように廃棄物１５０が廃棄物収集車１８２の廃棄物投入口付近（すなわち、Ｒ／Ｗ１２２ｂによるＲＦＩＤタグ１５１の読み取り範囲内）に載置されたことにより、廃棄物１５０に混入されたＲＦＩＤタグ１５１がＲ／Ｗ１２２ｂによって検出され、ＲＦＩＤタグ１５１から廃棄物情報が読み取られる。
【００８０】
そして、Ｒ／Ｗ１２２ｂによってＲＦＩＤタグ１５１から読み取られた廃棄物情報（たとえば廃棄物１５０のＩＤ、廃棄物１５０の種別など）が、Ｒ／Ｗ１２２ｂから、たとえば通信ケーブルや無線通信によって接続されたネットワーク２０１を介してサーバ１２１に対して送信される。
【００８１】
図８−２および図８―３は、ＲＦＩＤタグ１５１の読み取りを含む廃棄物１５０の収集作業の他の一例を示す説明図である。図８−２および図８―３において、廃棄物収集場１４１に排出された廃棄物１５０が、作業員１８１によって、廃棄物収集車１８２の廃棄物投入口付近に載置されている。また廃棄物収集場１４１にはＲ／Ｗ１２２ｂが設けられたゲート１４１Ａが設置されている。
【００８２】
ここで、Ｒ／Ｗ１２２ｂは常にＲＦＩＤタグ１５１を検出するように待機しており、作業員１８１によって廃棄物１５０が収集される際に、廃棄物１５０がゲート１４１Ａ内を通過することにより、廃棄物１５０に混入されたＲＦＩＤタグ１５１がＲ／Ｗ１２２ｂによって検出され、ＲＦＩＤタグ１５１から廃棄物情報が読み取られる。また、図８―３に示されているように、廃棄物１５０が梱包されておらずたとえば台車などに山積みされている場合は、台車ごとゲート１４１Ａ内を通過させるようにしてもよい。
【００８３】
そして、Ｒ／Ｗ１２２ｂによってＲＦＩＤタグ１５１から読み取られた廃棄物情報（たとえば廃棄物１５０のＩＤ、廃棄物１５０の種別など）が、Ｒ／Ｗ１２２ｂから、たとえば通信ケーブルや無線通信によって接続されたネットワーク２０１を介してサーバ１２１に対して送信される。
【００８４】
このように、たとえば作業員１８１は、手間のかかる別の作業をおこなうことなく、廃棄物１５０を廃棄物収集車１８２の廃棄物投入口付近に載置するだけ、またはゲート１４１Ａ内に廃棄物１５０を通過させるだけといった簡単な作業によって、廃棄物１５０に混入されたＲＦＩＤタグ１５１に記録されている廃棄物情報をサーバ１２１に対して送信することができる。そのため、たとえば作業員１８１は、ＲＦＩＤタグ１５１の読み取りを含む廃棄物１５０の収集作業を効率的かつ確実におこなうことができる。
【００８５】
（廃棄物１５０の処分作業の一例）
つぎに、ＲＦＩＤタグ１５１の読み取りを含む廃棄物１５０の処分作業の一例について説明する。図９は、ＲＦＩＤタグ１５１の読み取りを含む廃棄物１５０の処分作業の一例を示す説明図である。
【００８６】
図９において、廃棄物収集車１８２によって収集された廃棄物１５０が、作業員１７２によって、ベルトコンベア１７１上に載置されている。またベルトコンベア１７１付近には、Ｒ／Ｗ１２２ａが設けられている。
【００８７】
ここで、Ｒ／Ｗ１２２ａは常にベルトコンベア１７１によって搬送される廃棄物１５０に混入されているＲＦＩＤタグ１５１を検出するように待機している。上述したように廃棄物１５０がベルトコンベア１７１上に載置され、廃棄物１５０がベルトコンベア１７１によって廃棄物処分装置１７３へ搬送されることにより、廃棄物１５０に混入されたＲＦＩＤタグ１５１がＲ／Ｗ１２２ａによって検出され、ＲＦＩＤタグ１５１から廃棄物情報が読み取られる。
【００８８】
そして、Ｒ／Ｗ１２２ａによってＲＦＩＤタグ１５１から読み取られた廃棄物情報（たとえば廃棄物１５０のＩＤ、廃棄物１５０の種別など）が、Ｒ／Ｗ１２２ａから、たとえば通信ケーブルや無線通信によって接続されたネットワーク２０１を介してサーバ１２１に対して送信される。
【００８９】
このように、たとえば作業員１７２は、手間のかかる別の作業をおこなうことなく、廃棄物１５０をベルトコンベア１７１上に載置するだけといった簡単な作業によって、廃棄物１５０に混入されたＲＦＩＤタグ１５１に記録されている廃棄物情報をサーバ１２１に対して送信することができる。そのため、たとえば作業員１７２は、ＲＦＩＤタグ１５１の読み取りを含む廃棄物１５０の処分作業を効率的かつ確実におこなうことができる。
【００９０】
なお、たとえば作業員１７２による手作業を介さずに、廃棄物収集車１８２から廃棄物１５０がベルトコンベア１７１上に排出されるようにしてもよい。これによって、廃棄物１５０の処分作業をさらに効率的かつ確実におこなうことができる。
【００９１】
（収集・処分記録データの一例）
つぎに、記憶部４２０に記録された収集・処分記録データの一例について説明する。図１０は、記憶部４２０に記録された収集・処分記録データの一例を示す説明図である。
【００９２】
図１０において、記憶部４２０に記録された収集・処分記録データは、「廃棄物ＩＤ」と、「種別」と、「収集者ＩＤ」と、「収集者」と、「収集日付」と、「収集時刻」と、「収集場所」と、「収集個数」と、「処分者ＩＤ」と、「処分者」と、「処分日付」と、「処分時刻」と、「処分場所」と、「処分個数」と、「適正」とによって構成されている。
【００９３】
このうち、「廃棄物ＩＤ」、「種別」には検出部４０１によってＲＦＩＤタグ１５１から読み取られた廃棄物情報から値が設定される。また、「収集者ＩＤ」、「収集者」、「収集日付」、「収集時刻」、「収集場所」、「収集個数」には、収集情報生成部４０２によって生成された収集情報から値が設定される。また、「処分者ＩＤ」、「処分者」、「処分日付」、「処分時刻」、「処分場所」、「処分個数」には、処分情報生成部４０３によって生成された処分情報から値が設定される。また、「適正」には、判定部４０５によって判定された結果（廃棄物１５０の処分の適正）が設定される。
【００９４】
たとえば、「廃棄物ＩＤ」には、廃棄物１５０を特定するためのＩＤが設定される。また「種別」には、廃棄物１５０の種別が設定される。また「収集者ＩＤ」には、収集者１８０を特定するためのＩＤが設定される。また「収集者」には、収集者の名称が設定される。また「収集日付」、「収集時刻」には、廃棄物１５０が収集される際の日時が設定される。また「収集場所」には、廃棄物１５０が収集された場所が設定される。また「収集個数」には廃棄物１５０が収集される際に検出されたＲＦＩＤタグ１５１の個数が設定される。
【００９５】
また、「処分者ＩＤ」には、処分者を特定するためのＩＤが設定される。また「処分者」には、処分者の名称が設定される。また「処分日付」、「処分時刻」には、廃棄物１５０が処分される際の日時が設定される。また「処分場所」には、廃棄物１５０が処分された場所が設定される。また「処分個数」には廃棄物１５０が処分される際に検出されたＲＦＩＤタグ１５１の個数が設定される。
【００９６】
（廃棄物収集管理装置１２０による措置判定処理および統計処理の手順）
つぎに、廃棄物収集管理装置１２０によって定期的（たとえば１ヶ月ごと）におこなわれる措置判定処理および統計処理の手順について説明する。図１１は、この発明の本実施の形態にかかる廃棄物収集管理装置１２０による措置判定処理および統計処理の手順を示すフローチャートである。
【００９７】
まず、措置判定部４０７によって、記憶部４２０に記憶されている収集・処分記録データと、あらかじめ記憶部４２０に記憶されている措置判定基準情報とに基づいて、収集者１８０に対する措置を判定する（ステップＳ１１０１）。
【００９８】
つぎに、送信部４０８は、ステップＳ１１０１で判定された結果を含む収集者１８０に対する措置に関する情報を収集者１８０が保有する情報端末１８３に対して送信する（ステップＳ１１０２）。収集者１８０に対する措置に関する情報を受信した情報端末１８３においては、収集者１８０に対する措置に関する情報が出力（画面表示）される。なお、情報端末１８３の画面上に表示された収集者１８０に対する措置に関する情報の一例については図１２を用いて後述する。
【００９９】
つぎに、統計情報生成部４０９によって、記憶部４２０に記憶されている収集・処分記録データに基づいて、廃棄物１５０の処分に関する統計情報を生成する（ステップＳ１１０３）。
【０１００】
そして、出力部４１０によって、ステップＳ１１０３で生成された廃棄物１５０の処分に関する統計情報を出力して（ステップＳ１１０４）、一連の処理を終了する。たとえば出力部４１０は、廃棄物１５０の処分の適正に関する情報をディスプレイ３０８の画面上に表示する。また、たとえば出力部４１０は、廃棄物１５０の処分の適正に関する情報をプリンタ３１１を介して所定の用紙に印刷する。なお、所定の用紙に印刷された廃棄物１５０の処分に関する統計情報の一例については図１３および図１４を用いて後述する。
【０１０１】
（収集者１８０に対する措置に関する情報の一例）
つぎに、情報端末１８３の画面上に表示された収集者１８０に対する措置に関する情報の一例について説明する。図１２は、情報端末１８３の画面上に表示された収集者１８０に対する措置に関する情報の一例を示す説明図である。
【０１０２】
図１２において、画面１２０１は収集者１８０が保有する情報端末１８３に表示された画面であり、廃棄物収集管理装置１２０から電子メールによって自動送信された収集者１８０に対する措置に関する情報が表示されている。
【０１０３】
図１２において、たとえば画面１２０１には、図６に示した記憶部４２０に記憶されている措置判定基準情報と、図１０に示した記憶部４２０に記憶されている収集・処分記録データとに基づいて、措置判定部４０７によって判定された収集者１８０に対する措置を通知する旨の電子メールが表示されている。
【０１０４】
たとえば画面１２０１には、不正が３回以上あったため、取引の停止を通知する旨のメッセージ「廃棄物の処分に再度不正がありました。お取引を停止します。」が表示されている。また、取引を停止する期間を通知する旨のメッセージ「２００６／２／１〜２００６／２／２８」が表示されている。
【０１０５】
このように収集者１８０が保有する情報端末１８３の画面上に、収集者１８０に対する措置に関する情報が出力されることによって、収集者１８０は、収集者１８０に対する措置に関する情報の内容（すなわち取引が停止されること）を把握することができる。なお、収集者１８０に対する措置に関する情報の内容は上記に限らず、たとえば不正の詳細に関する情報（たとえば不正があった日時など）をさらに含むようにしてもよい。
【０１０６】
また、収集者１８０に対する措置に関する情報の内容を通知する方法は上記（電子メール）に限らず、たとえば収集者１８０に対する措置に関する情報を、プリンタ３１１を介して所定の用紙に印刷して、印刷された用紙を収集者１８０に対して送付するようにしてもよい。
【０１０７】
（廃棄物１５０の処分に関する統計情報の一例）
つぎに、所定の用紙に印刷された廃棄物１５０の処分に関する統計情報の一例について説明する。図１３および図１４は、所定の用紙に印刷された廃棄物１５０の処分に関する統計情報の一例を示す説明図である。
【０１０８】
図１３および図１４において、用紙１３００には、図１０に示した記憶部４２０に記憶されている収集・処分記録データに基づいて統計情報生成部４０９によって生成された廃棄物１５０の処分に関する統計情報が印刷されている。
【０１０９】
たとえば図１３における用紙１３００には、所定の期間「２００６／１／１〜２００６／１／３１」におこなわれた廃棄物１５０の収集・処分に関する、ＲＦＩＤタグ１５１の検出率に関する情報、廃棄物１５０の処分の適正（「正常」または「不正」）件数に関する情報、収集者１８０に対する措置に関する情報などが含まれた統計情報が示されている。また、たとえば図１４における用紙１３００には、上記統計情報が、収集者１８０ごとに示されている。
【０１１０】
このような廃棄物１５０の処分に関する統計情報に基づいて、たとえば排出者１４０は、廃棄物１５０の処分の適正化を図るため、悪質な収集者１８０（すなわち不正が多い収集者１８０）とは取引をおこなわずに、優良な収集者１８０（すなわち不正が少ない収集者１８０）とのみ取引をおこなうことなどを検討することができる。
【０１１１】
また、たとえば優良な収集者１８０に対して、優遇措置（たとえば取引量を増やす）などをおこなうように検討することもできる。また、たとえば排出者１４０は、このような廃棄物１５０の処分に関する統計情報を公開し、廃棄物１５０の処分の適正化に努めていることをアピールすることによって、排出者１４０（たとえば企業）のイメージアップをおこなうことができる。
【０１１２】
（廃棄物収集管理装置１２０の別の機能的構成）
つぎに、本実施の形態にかかる廃棄物収集管理装置１２０の別の機能的構成について説明する。図１５は、この発明の本実施の形態にかかる廃棄物収集管理装置１２０の別の機能的構成の一例を示すブロック図である。
【０１１３】
図１５において廃棄物収集管理装置１２０Ａは、収集情報取得部１５０１と、検出部４０１と、処分情報生成部４０３と、比較部４０４と、判定部４０５と、記録部４０６と、措置判定部４０７と、送信部４０８と、統計情報生成部４０９と、出力部４１０と、記憶部４２０とによって構成されている。
【０１１４】
すなわち、廃棄物収集管理装置１２０Ａは、図４に示した廃棄物収集管理装置１２０の機能的構成とは、収集情報生成部４０２を備えておらず、収集情報取得部１５０１が備えられた点が異なる。収集情報取得部１５０１は、廃棄物１５０に混入されているＲＦＩＤタグ１５１を検出して、廃棄物１５０に混入されているＲＦＩＤタグ１５１の個数に関する情報を含む収集情報を読み取る。収集情報取得部１５０１は、具体的には、たとえば図３に示したＲ／Ｗ１２２によってその機能を実現する。
【０１１５】
ここでＲＦＩＤタグ１５１には、たとえば排出者１４０が所有する他の情報処理端末や他のＲＦＩＤタグリーダ／ライタなどによって、廃棄物１５０に混入されているＲＦＩＤタグ１５１の個数に関する情報があらかじめ記録されている。
【０１１６】
これによって比較部４０４は、収集情報取得部１５０１によって取得された収集情報に記録されているＲＦＩＤタグ１５１の個数と、廃棄物１５０が処分される際に検出部４０１によって検出されたＲＦＩＤタグ１５１の個数とを比較する。
【０１１７】
また、記録部４０６は、判定部４０５によって判定された結果に関する情報と、収集情報取得部１５０１によって取得された収集情報と、処分情報生成部４０３によって生成された処分情報とを関連付けしたデータ（以降、「収集・処分記録データ」という）を生成して、生成した収集・処分記録データを記憶部４２０に記録する。
【０１１８】
なお、収集情報取得部１５０１は、廃棄物収集管理装置１２０と有線または無線によって接続された他の情報処理装置から、有線または無線を介して収集情報を取得するようにしてもよい。この場合、収集情報取得部１５０１は、具体的には、たとえば図３に示したＩ／Ｆ３０９によってその機能を実現する。またＵＳＢなどの有線や、Ｂｌｕｅｔｏｏｔｈなどの無線によって上記他の情報処理装置と接続するようにしてもよい。
【０１１９】
（廃棄物収集管理装置１２０による収集・処分記録データ収集処理の別の手順）
つぎに、廃棄物収集管理装置１２０による収集・処分記録データ収集処理の別の手順について説明する。図１６は、この発明の本実施の形態にかかる廃棄物収集管理装置１２０による収集・処分記録データ収集処理の別の手順を示すフローチャートである。
【０１２０】
まず、収集情報取得部１５０１によって、廃棄物１５０に混入されているＲＦＩＤタグ１５１を検出して、廃棄物１５０に混入されているＲＦＩＤタグ１５１の個数に関する情報を含む収集情報を読み取る（ステップＳ１６０１）。
【０１２１】
つぎに、検出部４０１によって、廃棄物１５０が処分される際に廃棄物１５０に混入されているＲＦＩＤタグ１５１を検出する（ステップＳ１６０２）。このとき検出部４０１は、同時にＲＦＩＤタグ１５１から廃棄物情報（たとえば廃棄物１５０のＩＤ、廃棄物１５０の種別など）を読み取る。
【０１２２】
つぎに、処分情報生成部４０３によって、廃棄物１５０が処分される際に検出部４０１によって検出されたＲＦＩＤタグ１５１の個数に関する情報を含む処分情報（処分者のＩＤ、処分日時、処分場所など）を生成する（ステップＳ１６０３）。
【０１２３】
つぎに、比較部４０４によって、ステップＳ１６０１で読み取られた収集情報と、ステップステップＳ１６０３で生成された処分情報とに基づいて、収集情報に記録されているＲＦＩＤタグ１５１の個数と、廃棄物１５０が処分されるとうきに検出されたＲＦＩＤタグ１５１の個数とを比較する（ステップＳ１６０４）。
【０１２４】
つぎに、判定部４０５によって、ステップＳ１６０４で比較された結果と、あらかじめ記憶部４２０に記憶されている判定基準情報とに基づいて、廃棄物１５０の処分の適正を判定する（ステップＳ１６０５）。
【０１２５】
そして、記録部４０６によって、収集・処分記録データを記憶部４２０に記録して（ステップＳ１６０６）、一連の処理を終了する。記録部４０６は、ステップステップＳ１６０５で判定された結果に関する情報と、ステップＳ１６０１で読み取られた収集情報と、ステップＳ１６０３で生成された処分情報とを関連付けすることによって収集・処分記録データを生成して、生成した収集・処分記録データを記憶部４２０に記録する。
【０１２６】
以上説明したように、本実施の形態によれば、Ｒ／Ｗ１２２ａおよびＲ／Ｗ１２２ｂによるＲＦＩＤタグ１５１の検出が可能な所定の位置に対して、廃棄物１５０を通過させるだけといった簡単な作業によって、廃棄物１５０が収集される際および廃棄物１５０が処分される際に廃棄物１５０に含まれているＲＦＩＤタグの個数に関する情報を取得することができる。そのため、より簡単な作業により廃棄物に排出量に関する情報の収集・管理を効率的かつ確実におこなうことができ、排出者１４０によって廃棄される廃棄物の処分の適正化を図ることができる。
【０１２７】
また、本実施の形態によれば、あらかじめ廃棄物１５０に複数のＲＦＩＤタグ１５１を混入しておき、廃棄物１５０が収集される際に検出されたＲＦＩＤタグ１５１の個数（またはＲＦＩＤタグ１５１から読み取った収集情報に記録されているＲＦＩＤタグ１５１の個数）と、廃棄物１５０が処分される際に検出されたＲＦＩＤタグ１５１の個数とを比較することによって、廃棄物１５０の処分の適正（「正常」または「不正」）を判定することができる。たとえ計量が困難な廃棄物であっても、廃棄物の排出量に関する情報の収集・管理を効率的かつ確実におこなうことができ、排出者１４０によって廃棄される廃棄物の処分の適正化を図ることができる。
【０１２８】
また、本実施の形態によれば、人手による作業を介すことなく、記憶部４２０に記憶されている収集・処分記録データと、あらかじめ記憶部４２０に記憶されている措置判定基準情報とに基づいて、収集者１８０に対する措置（たとえば取引を停止するなど）を判定することができる。そのため、収集者１８０に対する措置を、効率的かつ確実に判定することができ、排出者１４０によって廃棄される廃棄物の処分の適正化を図ることができる。
【０１２９】
また、本実施の形態によれば、人手による作業を介すことなく、廃棄物収集管理装置１２０によって、収集者１８０に対する措置に関する情報を収集者１８０が保有する情報端末１８３に送信することができる。そのため、収集者１８０に対する措置に関する情報の内容（たとえば取引を停止する旨）を、効率的かつ確実に収集者１８０に対して通知することができる。これにより、収集者１８０による廃棄物の処分の不正を効率的に防止することができ、排出者１４０によって廃棄される廃棄物の処分の適正化を図ることができる。
【０１３０】
また、定期的に、記憶部４２０に記録された収集・処分記録データや、統計情報生成部４０９によって生成された廃棄物１５０の処分に関する統計情報などを、収集者１８０に対して通知するようにしてもよい。これにより、収集者１８０による廃棄物の処分の不正を効率的に防止することができ、排出者１４０によって廃棄される廃棄物の処分の適正化を図ることができる。
【０１３１】
また、収集者１８０による不正に限らず、処分者による不正も考えられることから、処分者に対しても措置（たとえば取引を停止するなど）をおこなうようにしてもよい。これにより、処分者による廃棄物の処分の不正を効率的に防止することができ、排出者１４０によって廃棄される廃棄物の処分のより適正化を図ることができる。
【０１３２】
なお、本実施の形態で説明した廃棄物収集管理方法は、あらかじめ用意されたプログラムをパーソナル・コンピュータやワークステーションなどの廃棄物収集管理装置で実行することにより実現することができる。このプログラムは、ＲＡＭ、ハードディスク、フレキシブルディスク、ＣＤ−ＲＯＭ、ＭＯ、ＤＶＤなどのコンピュータで読み取り可能な記憶媒体に記憶され、コンピュータによって記憶媒体から読み出されることによって実行される。またこのプログラムは、インターネットなどのネットワークを介して配布することが可能な伝送媒体であってもよい。
【産業上の利用可能性】
【０１３３】
以上のように、本発明にかかる廃棄物収集管理装置、廃棄物収集管理方法、および廃棄物収集管理プログラムは、企業などによる廃棄物管理業務に利用可能であり、たとえば、排出者によって排出された廃棄物の処分の適正化に適している。
【図面の簡単な説明】
【０１３４】
【図１】この発明の本実施の形態にかかる廃棄物収集管理装置、廃棄物収集管理方法、および廃棄物収集管理プログラムの概要を示す説明図である。
【図２】この発明の本実施の形態にかかる廃棄物収集管理装置を含む全体システムの構成を示す説明図である。
【図３】廃棄物収集管理装置のハードウェア構成の一例を示すブロック図である。
【図４】この発明の本実施の形態にかかる廃棄物収集管理装置の機能的構成の一例を示すブロック図である。
【図５】記憶部に記憶された判定基準情報の一例を示す説明図である。
【図６】記憶部に記憶された措置判定基準情報の一例を示す説明図である。
【図７】この発明の本実施の形態にかかる廃棄物収集管理装置による収集・処分記録データ収集処理の手順を示すフローチャートである。
【図８−１】ＲＦＩＤタグの読み取りを含む廃棄物の収集作業の一例を示す説明図である。
【図８−２】ＲＦＩＤタグの読み取りを含む廃棄物の収集作業の他の一例を示す説明図である。
【図８−３】ＲＦＩＤタグの読み取りを含む廃棄物の収集作業の他の一例を示す説明図である。
【図９】ＲＦＩＤタグの読み取りを含む廃棄物の処分作業の一例を示す説明図である。
【図１０】記憶部に記録された収集・処分記録データの一例を示す説明図である。
【図１１】この発明の本実施の形態にかかる廃棄物収集管理装置による措置判定処理および統計処理の手順を示すフローチャートである。
【図１２】情報端末の画面上に表示された収集者に対する措置に関する情報の一例を示す説明図である。
【図１３】所定の用紙に印刷された廃棄物の処分に関する統計情報の一例を示す説明図である。
【図１４】所定の用紙に印刷された廃棄物の処分に関する統計情報の一例を示す説明図である。
【図１５】この発明の本実施の形態にかかる廃棄物収集管理装置の別の機能的構成の一例を示すブロック図である。
【図１６】この発明の本実施の形態にかかる廃棄物収集管理装置による収集・処分記録データ収集処理の別の手順を示すフローチャートである。
【符号の説明】
【０１３５】
１２０  廃棄物収集管理装置
１２１  サーバ
１２２  Ｒ／Ｗ
１４０  排出者
１５０  廃棄物
１５１  ＲＦＩＤタグ
１７１  ベルトコンベア
１７２  作業員
１７３  廃棄物処分装置
１８０  収集者
１８１  作業員
１８２  廃棄物収集車
１８３  情報端末
２００  廃棄物収集管理システム
２０１  ネットワーク
４０１  検出部
４０２  収集情報生成部
４０３  処分情報生成部
４０４  比較部
４０５  判定部
４０６  記録部
４０７  措置判定部
４０８  送信部
４０９  統計情報生成部
４１０  出力部
４２０  記憶部
【図１】
2008015628.tif 000003
【図２】
2008015628.tif 000004
【図３】
2008015628.tif 000005
【図４】
2008015628.tif 000006
【図５】
2008015628.tif 000007
【図６】
2008015628.tif 000008
【図７】
2008015628.tif 000009
【図８−１】
2008015628.tif 000010
【図８−２】
2008015628.tif 000011
【図８−３】
2008015628.tif 000012
【図９】
2008015628.tif 000013
【図１０】
2008015628.tif 000014
【図１１】
2008015628.tif 000015
【図１２】
2008015628.tif 000016
【図１３】
2008015628.tif 000017
【図１４】
2008015628.tif 000018
【図１５】
2008015628.tif 000019
【図１６】
2008015628.tif 000020